(57)【要約】【課題】　発光器、電池１３および振動スイッチ１４を回路基板１５上に搭載しかつ発光器の点灯制御回路１６を基板１５に形成して一体的に構成された発光ユニット４と、これを収納する光透過性の意匠ケース部材３よりなるところの発光装置２を備えた靴において、発光装置２より発する光を種々多様な向きのものとし、視認性能を改良する。【解決手段】　発光ユニット４は、複数個の発光器１０ａ〜１０ｃを、その中の少なくとも一個の発光器の向きが他の発光器の向きと異なるように搭載するとともに、意匠ケース部材３は、靴の表面より突出して形成する。【選択図】　図６
2004024899.tif 000002
【特許請求の範囲】
【請求項１】
　発光器、電池および振動スイッチを回路基板上に搭載しかつ該発光器の点灯制御回路を同基板に形成して一体的に構成された発光ユニットを、光透過性の意匠ケース部材に収納してなる発光装置を備えた靴において、
　前記意匠ケース部材は靴の表面より突出したものであり、前記発光ユニットは複数個の発光器を、その中の少なくとも一個の発光器の向きが他の発光器の向きと異なるように回路基板上に搭載してなることを特徴とする発光装置を備えた靴。
【請求項２】
　上記発光ユニットは、上記の複数個の発光器のうち少なくとも一個の発光器を上記回路基板に対して水平の向きにそしてその他の発光器を同回路基板に対して垂直の向きに搭載してなることを特徴とする請求項１に記載の発光装置を備えた靴。
【請求項３】
　上記発光装置は保持カバー布によって保持されて甲被に備えられるものであって、上記意匠ケース部材の甲被表面側となる側が開口し、前記保持カバー布には該意匠ケース部材の形状に対応する形状の開口部が形成され、前記意匠ケース部材が該開口部に嵌挿されて、該意匠ケース部材が前記保持カバー布の表面より突出したものであり、該保持カバー布の裏面および甲被の表面にそれぞれ面ファスナーが設けられて、甲被の表面に前記保持カバー布が係脱可能に装着されてなることを特徴とする請求項１または請求項２に記載の発光装置を備えた靴。
【請求項４】
　上記振動スイッチは、上記回路基板の表面に設けられた接点と、該接点を覆って搭載された函体の導電性スイッチケースと、該スイッチケース内にその長手方向に移動可能に収容された導電性鋼球より構成されていることを特徴とする請求項１に記載の発光装置を備えた靴。
【請求項５】
　上記振動スイッチは、上記導電性鋼球が上記スイッチケースの長手方向の一端側もしくは両端側にあるいは幅方向の側部に位置するとき、上記接点と前記スイッチケースとが前記導電性鋼球を介して導通されるように構成されていることを特徴とする請求項４に記載の発光装置を備えた靴。
【請求項６】
　上記導電性鋼球は複数個であることを特徴とする請求項４または請求項５に記載の発光装置を備えた靴。
【発明の詳細な説明】
【技術分野】
【０００１】
　本発明は、発光装置を備えることにより、夜間等における視認性能が改良された靴に関する。
【背景技術】
【０００２】
　従来、歩行者が夜間に外出する際、走行中の車両等に対して歩行者の存在を知らせて事故を未然に防ぐために、車両等から照射された光を反射する反射シートを踵部等に貼着した靴が既に開発され、知られている。
　しかし、反射シートは自己発光する部材でないため、車両が無灯火である場合や、靴上の反射シートが照射光に対して死角の部位に位置する場合には、車両等からの照射光を反射できず、有効に機能しないという欠点を有していた。
　そこで、本出願人は、下記特許文献１および下記特許文献２などに開示されるように、自己発光手段として発光ダイオードを備え、そのスイッチが履用時に加わる荷重の大きさによって動作することにより、該発光ダイオード発光することができるところの発光装置を備えた靴を開発、生産してきた。
　また、本出願人は、下記特許文献３に開示されるような、上記の荷重スイッチに代えて、振動スイッチ（靴の姿勢変化あるいは靴に加わる振動によってオンオフ動作するスイッチ）を装備し、そのスイッチ動作により発光ダイオードが発光するところの新種の靴をも提案し、そして、本明細書および図面に記載されるような、ユニットケース３０が靴の甲被に甲被表面側に開口して取付けられ、そのケース３０内に収納された発光ユニット（発光ダイオード４３等を含む）４０が振動スイッチ４５の動作により自己発光するところのスポーツシューズを現在生産している。
【０００３】
【特許文献１】実開平６−１９５１５号公報
【特許文献２】実開平６−５２５０８号公報
【特許文献３】特願平７−１６３０２７号明細書
【発明の開示】
【発明が解決しようとする課題】
【０００４】
　上記のスポーツシューズにおいては、発光ユニット４０として、例えば３個の発光ダイオード４３・・を総て同じ垂直の向きに回路基板上に搭載したものが装備され、また、ユニットケース３０としては、透明で平滑な表面を有する樹脂成形品が利用されている。
　しかるに、発光ダイオード４３は一般に、それより発する光が主に、発光ダイオードの姿勢に依り決定されるところのある一つの方向に進む光になるという性質を有する。
　従って、従来の発光装置を備えたスポーツシューズは、発光ユニット４０からの総ての光が、主に一つの方向に即ち垂直の向きに発せられそしてユニットケース３０内部をそのまま透過して進むというものであったので、その一つの方向に関しては、高輝度の光を容易に視認できるが、その他の方向に関しては、発光を不十分にしか視認できず、ひどいときには発光を殆ど確認できないという欠点を有していた。
　要するに、従来のこの種の発光装置を備えた靴は、視認性能についてさらに改良すべき構造のものであった。
【０００５】
　本発明は、かかる事情を考慮し、従来の欠点を解消するべくなされたものであって、その課題とするところは、発光装置（発光ユニット）より発する光が種々多様な向きのものとなり、従来の同種の靴と比較して視認性能が著しく改良されたところの発光装置を備えた靴を提供することにある。
【課題を解決するための手段】
【０００６】
　本発明は、発光ユニットとして、複数個の発光器（発光ダイオード）を異なる向きに回路基板上に搭載したものを使用するとともに、該ユニットを収納する意匠ケース部材を靴の表面より突出させることにより、発光ユニットから発する光の向きが種々多様なものになるようにしたものである。
【０００７】
　より明確には、本発明は、発光器、電池および振動スイッチを回路基板上に搭載しかつ該発光器の点灯制御回路を同基板に形成して一体的に構成された発光ユニットを、光透過性の意匠ケース部材に収納してなる発光装置を備えた靴において、
　前記意匠ケース部材は靴の表面より突出したものであり、前記発光ユニットは複数個の発光器を、その中の少なくとも一個の発光器の向きが他の発光器の向きと異なるように回路基板上に搭載してなることを特徴とする発光装置を備えた靴に関する。
【０００８】
　本発明の靴は、発光装置、即ち発光ユニットを意匠ケース部材内に収納したものを有する。
　本発明の一つの態様においては、発光装置は、保持手段によって一定の部位に保持されることにより、靴の甲被に装備される。この場合、意匠ケース部材は甲被表面側に開口して設けられ、そして、発光ユニットは該意匠ケース部材の中に収納される。そして、上記の保持手段は、より好ましくは、甲被の表面に、意匠ケース部材の周縁を押えるようにそして面ファスナーによって係脱可能に、装着された保持カバー布よりなる。
　本発明のより好ましい態様においては、上記の発光ユニットは、複数個の発光器のうち少なくとも一個の発光器を回路基板に対して水平の向きにそしてその他の発光器を該回路基板に対して垂直の向きに搭載してなる。この場合、例えば、複数個の発光器を順次点滅せしめるリレー回路が点灯制御回路に備えられる。
　また、本発明の別のより好ましい態様においては、上記意匠ケース部材の内側表面は、サンドブラスト仕上げ、ガラスビーズ仕上げもしくはダイヤカット仕上げにより、光の乱反射を生じる凹凸粗面の部位を形成してなる。
　さらに、より好ましい態様においては、単安定マルチバイブレータ方式の点灯制御回路が備えられ、そして、この点灯制御回路は、一回のスイッチ動作により複数個サイクルの点灯制御を行うように設定される。さらに、別の好ましい態様においては、点灯制御回路は、光センサを備え、該光センサの受光により上記発光器を不点灯に制御するように構成される。
【発明の効果】
【０００９】
　上述よりわかるように、本発明によれば、発光装置を備えた靴において、発光装置（発光ユニット）より発する光が種々多様な向きのものとなり、従来の同種の靴と比較して視認性能がより一層改良されるという効果が得られる。
【００１０】
　その他、本発明の靴は、以下のような利点を有する。
−発光装置全体を容易に着脱することができ、靴の洗濯または電池の交換のときの発光装置の取り外し・取り付け作業を簡単に行うことができる。従って、発光装置の故障の発生を防止でき、また、環境保護の面でも優れている。
−発光ユニットの点灯制御回路は、複数個の発光器が順次点滅するようにリレー回路を備える構成とすることにより、発光個所が順に移動するように見え、より視認性を向上させることができる。
−点灯制御回路は、単安定マルチバイブレータ方式とされ、発光器の点灯中は、振動スイッチの動作によっては、作動しないように構成することにより、連続するスイッチ動作が不規則であっても、発光の為の規則的な点滅が維持されるとともに、不要な発光が防止されて電池寿命の延長に寄与することができる。
　特に、上記方式の点灯制御回路は、一回のスイッチ動作により複数サイクルの点灯制御を一定時間の間行うように設定されている構成とすることにより、発光を途切れることなく規則的に継続させることができ、見た目にも美しいものとなりうる。
−点灯制御回路は、光センサを備え、これの受光により発光器を不点灯に制御するように構成されることにより、周囲が明るいとき、例えば昼間においては、発光器が点灯せず、従って、電源としての電池の寿命をより延ばすことができる。
−請求項４に規定する振動スイッチを備えることにより、振動スイッチが履用者の歩行又は走行時、例えば前後方向の足の運びによって高感度にて確実にスイッチ動作し、その他の動きによっては低感度でしかスイッチ動作しない機構とすることができ、従って、発光ユニットの点灯感度がより向上する。
−上記の振動スイッチは、導電性鋼球がスイッチケースの長手方向の一端側もしくは両端側にあるいは幅方向の側部に位置するとき、接点とスイッチケースとが導電性鋼球を介して導通されるように構成されることにより、振動スイッチは、スイッチケースの振れまたは姿勢変化に対して安定したスイッチ動作が可能となる。
−上記の振動スイッチは、複数個個の導電性鋼球をスイッチケース内に備えることにより、そのスイッチ動作がより円滑で安定したものとなる。
−意匠ケース部材は凸レンズ部を発光ユニットの収納状態にて発光器と対応する位置に設けることにより、発光ユニットより発した光がより広い範囲に拡がり、視認性能が高まる。
【発明を実施するための最良の形態】
【００１１】
　以下、本発明の靴の特徴的な各要素を順に、その好ましい態様とともに説明する。
　発光ユニットは、発光器（発光ダイオード、ＬＥＤ）、電池および振動スイッチを回路基板上に搭載し、かつ、これらと接続する点灯制御回路を同基板に形成することにより、一体的に構成されている。
　そして、本発明の靴にあっては、複数個の発光器（発光ダイオード）が回路基板上に搭載され、かつ、その複数個の発光器の中、少なくとも一個の発光器の向きは他の発光器の向きと異なるようにして設けられる。一つの発光ユニットの例として、複数個の発光器のうち、少なくとも一個の発光器は、回路基板に対して水平の向きに搭載され、そしてその他の発光器は、回路基板に対して垂直の向きに搭載される。この構成により、発光器より発する光の向きは、複数の向きになる。
【００１２】
　上記発光ユニットの回路基板には、通常、複数個の発光器の点滅動作を制御するところの点灯制御回路が形成される。そして、より好ましくは、この点灯制御回路には、複数個の発光器を順次点滅せしめるリレー回路が備えられる。この構成によれば、発光する個所が複数個の発光器の間を順に移動するように見えるようになる。
　また、上記の点灯制御回路は、より好ましくは、単安定マルチバイブレータ方式とされ、発光器の点灯中は、振動スイッチの動作によっては、作動しないように構成される。この構成によれば、連続するスイッチ動作が不規則であっても、発光の為の規則的な点滅が維持されるとともに、不要な発光が防止されて電池寿命の延長に寄与することができる。　さらに、特に好ましくは、上記方式の点灯制御回路は、一回のスイッチ動作により複数個サイクルの、例えば３サイクルの点灯制御を例えば約一秒間の間行うように設定されている。この構成によれば、発光を途切れることなく規則的に継続させることができ、見た目にも美しいものとなりうる。
　また、より好ましくは、点灯制御回路は、光センサ、例えばＣｄＳを備え、該光センサの受光により上記発光器を不点灯に制御するように構成される。この構成によれば、周囲が明るいとき、例えば昼間においては、発光器が点灯せず、反対に、周囲が暗いときのみ、例えば夜間のみ、発光器が点灯し、従って、本装置作動の為の電源としての電池の寿命がより一層延びることになる。
【００１３】
　電池は、発光器の点灯のための電源であり、該電池としては、マンガン電池、アルカリマンガン電池、リチウム電池、ニッケル−カドニウム電池およびニッケル−水素電池など各種のものが利用されうる。小型でかつ大容量のものがより好ましい。
　また、振動スイッチは、振動が加わることにより、接点が開閉する言わば振動センサ方式のスイッチであり、これは、例えば、接点を発光ユニットの回路基板の表面に設け、該接点を覆うように函体の導電性スイッチケースを回路基板上に搭載するとともに、導電性鋼球を該スイッチケース内にその長手方向に移動可能に収容してなり、そして、スイッチケースの長手方向がほぼ水平に保たれるように構成される。この構成によれば、振動スイッチは、履用者の歩行又は走行時、例えば前後方向の足の運びによって高い感度にて確実にスイッチ動作し、これとともにその他の方向の動きによっては低い感度でしかスイッチ動作しないようにすることができ、従って、発光ユニットの点灯感度を方向性のあるものとすることができる。
　より好ましくは、振動スイッチは、導電性鋼球がスイッチケースの長手方向の一端側もしくは両端側に位置するときあるいはスイッチケースの幅方向の側部に位置するとき、接点とスイッチケースとが導電性鋼球を介して導通されるように構成される。この構成によれば、振動スイッチは、導電性鋼球がスイッチケースの一端側もしくは両端側に位置するときだけでなく、導電性鋼球がスイッチケースの内側面のいずれかに接触したときには、常に作動するようになっており、従って、スイッチケースの振動または姿勢変化に対して、安定したスイッチ動作が可能となっている。
　また、より好ましくは、振動スイッチは、複数個の導電性鋼球をスイッチケース内に備える。この構成によれば、導電性鋼球が相互に衝突することにより、それらがスイッチケース内のある個所に係止されて移動しなくなるという事態が解消されるので、振動スイッチは、そのスイッチ動作がより円滑で安定したものとなる。
【００１４】
　また、本発明の靴において、発光装置は、靴底部などに設けることも可能であるが、より好ましい一例としては、保持手段によって一定の部位に保持されることにより、靴の甲被に装備される。この保持手段は、例えば甲被の表面に、意匠ケース部材の周縁を押えるように装着された保持カバー布よりなる。保持カバー布は、例えば、意匠ケース部材の外周縁の形状に対応する形状の開口部を有する布材よりなり、より好ましくは、その表面および甲被表面に設けられた面ファスナーによって、係脱可能に取り付けられる。
【００１５】
　意匠ケース部材は、発光ユニットを収納する為のケース部材であり、例えば靴の甲被に甲被表面側に開口して取付けられる（勿論、発光ユニットはこの意匠ケース部材の中に収納される）。ケース部材の外形意匠は、略鏃形、円形など、まったくの自由であり、通常、消費者の趣味および流行に合わせて定められる。
　上記の意匠ケース部材は、光透過性の材料、例えば透明もしくは半透明な合成樹脂よりなる。その樹脂材料の具体的な例としては、ポリ塩化ビニル樹脂、アクリル樹脂、ポリスチレン樹脂、ＡＢＳ樹脂などが挙げられる。より好ましくは、意匠ケース部材は、ポリ塩化ビニル樹脂よりなり、特に好ましくは、半硬質ポリ塩化ビニル樹脂よりなる。また、意匠ケース部材は、本来的に無色透明の樹脂よりなるものの他、透明顔料の配合により透明化された樹脂組成物よりなるものでもよい。
【００１６】
　そして、本発明の靴にあっては、意匠ケース部材の内側表面のうち、少なくとも複数の発光器からの光が当る各々の部位については、光の乱反射を生じる凹凸粗面（凹凸のある表面）に形成されていることが好ましい。この構成により、発光器から発した光は、意匠ケース部材の内側表面の凹凸粗面に当り、そこで、光の乱反射が生じ、その反射光が様々な向きに進むこととなる。従って、本発明の発光装置においては、複数個の発光器が搭載されていることと相俟って、発光器より発した光の向きは、種々様々な向きのものになり、よって、視認性能が著しく改良される。
　上記の凹凸粗面の凹凸は、光の乱反射を生じる形状であれば、いかなる形状でもよく、規則的な形状のものであってもまた不規則な形状のものであってもよいが、不規則な、言い換えると不定形の凹凸がより好ましい。また、より細かい凹凸がより好ましい。
　また、上記の凹凸粗面の部位は、例えばサンドブラスト仕上げ、ガラスビーズ仕上げもしくはダイヤカット仕上げにより、形成することができる。
　サンドブラスト仕上げによる場合は、例えば密度＃１５ないし＃２４０、より好ましくは＃５０ないし＃２００の凹凸粗面に仕上げられる。
　また、ガラスビーズ仕上げによる場合は、例えば密度＃１５ないし＃２４０、より好ましくは＃５０ないし＃２００の凹凸粗面に仕上げられる。
　そしてダイヤカット仕上げによる場合は、例えば、凹凸の深さ０．３〜３．０ｍｍ、より好ましくは０．５〜１．５ｍｍの凹凸粗面に、また、密度５〜６００ドット／ｃｍ2 、より好ましくは２０〜２００ドット／ｃｍ2 の凹凸粗面に仕上げられる。
　上記の凹凸粗面の部位が、密度（ダイヤカット仕上げの場合には、密度および凹凸の深さ）に関する上記の範囲内のものに形成されているとき、視認性能の改良についてより高い効果が得られる。より好ましい範囲内であれば、さらに高い改良効果が得られる。
　なお、より好ましい意匠ケース部材にあっては、凸レンズ部が発光ユニットの収納状態において発光器（発光ダイオード）と対応する位置に設けられる。この構成によれば、発光ユニットより発した光がより広い範囲に拡がり、視認性能がより高まる。
【実施例】
【００１７】
　以下、本発明の実施例を添付図面を参照しながら説明する。
　図１に示すように、本実施例の靴は、子供用のスニーカであって、その甲被１の外側面には、略三角形状の外形をなしプラズマが発射される様子を模した意匠の発光装置２が備えられている。
　この発光装置２は、図２ないし図４に示すように、意匠ケース部材３を甲被表面側に開口して配設するとともに、発光ユニット４を意匠ケース部材３の中に収納してなり、そして、保持手段としての保持カバー布５によって、甲被１中の特定の部位に保持されている。
　保持カバー布５は、一般に羽根部とも呼ばれる布材であって、その中央には、意匠ケース部材３の形状に対応する形状の開口部６が形成されている。開口部６の中には、意匠ケース部材３が嵌挿され、そして意匠ケース部材３の周縁９は、保持カバー布５の裏面と接着されている。
　また、甲被基材７の表面および保持カバー布５の裏面には、それぞれ面ファスナー８ａ、８ｂが設けられ、保持カバー布５が甲被１に対して係脱自在となっている。
　したがって、図２ないし図４に示すように、発光ユニット４を意匠ケース部材３の中に収納し、続いて面ファスナー８ａと面ファスナー８ｂを係合することにより、発光装置２は、靴の甲被１に装着されるようになっている。
　反対に、発光ユニット４は、面ファスナー８ａと面ファスナー８ｂの係合を解くことにより、靴の甲被１より容易に取り外すことができる。
【００１８】
　意匠ケース部材３は、図５に詳細に示すように、鏃にも似た略三角形状の外形をなすケース部材であって、光透過性の半硬質ポリ塩化ビニル樹脂よりなる。意匠ケース部材３の材質は、無色透明の樹脂であってもよいが、透明顔料の配合により透明化された樹脂組成物であってもよい。また、意匠ケース部材３は、無色に限られるものではなく、発光ユニット４の発光器１０より発する光が透過可能であれば、任意の色に着色することも可能である。なお、図５中、１１は、プラズマの発する源の様子を模した意匠の部位を表わす。また、１２は、プラズマ光の当る部位に相当する鋭角部であって、図６に示すように上記の光透過性樹脂で満たされている。
【００１９】
　また、発光ユニット４は、図６および図７に示すように、３個の発光器（発光ダイオード、ＬＥＤ）１０ａ、１０ｂ、１０ｃ、リチウムボタン電池１３および振動スイッチ１４を平面形状の回路基板１５上に搭載し、そしてこれらと接続する点灯制御回路（ＩＣ回路）１６を回路基板１５の角部に形成してなり、これによって一体的に構成されている。なお、図中、１７は、リチウム電池１３の押え具を示す。
　そして、本実施例にあっては、３個の発光器１０ａ、１０ｂ、１０ｃの中、発光器１０ａは、回路基板１５に対して垂直の向きに搭載されているが、その他の発光器１０ｂ、１０ｃは、回路基板１５に対して水平の向きに、ともに鋭角部１２に向けて搭載されている。これにより、発光器１０ａ〜１０ｃより発する光の向きは、３通りの向きとなっている。
　なお、発光器１０ａ〜１０ｃの発光色は、特に限定されず、任意に選択可能であるが、視認性能の観点より、高輝度発光するところの赤色形の発光ダイオードがより好ましい。　　　
【００２０】
　また、意匠ケース部材３は、発光器１０ａの直上方の部位に、凸レンズ部１８を設けてなる。より正確に述べると、発光器１０ａは、凸レンズ部１８をなす３個一組の凸レンズのうち中央の凸レンズに対応する位置に配置されており、そしてその両側の凸レンズには、発光器１０ａが対応していない。しかしながら、発光器１０ａが点灯して中央の凸レンズより発光すると、両側の凸レンズ部位も、その散光によって少なからず輝き、あたかも内部に発光器１０ａを備えているかのごとく見えるようになっている。
【００２１】
　そして、本実施例にあっては、意匠ケース部材３の内側表面のうち、少なくとも、３個の発光器１０ａ、１０ｂ、１０ｃからの光が当る各部位については、光の乱反射を生じる凹凸粗面１９に形成されている。すなわち、発光ユニット４を収納するキャビティの内面のうち、鋭角部１２の内側表面および凸レンズ部１８の内側表面の各部位については、細かい凹凸のある表面となっている。
　この凹凸粗面１９の部位は、例えばサンドブラスト仕上げ、ガラスビーズ仕上げもしくはダイヤカット仕上げにより、形成されている。例えば、サンドブラスト仕上げによる場合には、密度＃５０ないし＃２００の凹凸粗面に、またガラスビーズ仕上げによる場合には、密度＃５０ないし＃２００の凹凸粗面に仕上げられ、さらに、ダイヤカット仕上げによる場合は、凹凸の深さ０．５〜１．５ｍｍそして、密度２０〜２００ドット／ｃｍ2 の凹凸粗面に仕上げられる。
　従って、３個の発光器１０ａ、１０ｂ、１０ｃから発した異なる向きの光は、それぞれ、意匠ケース部材３の内側表面の凹凸粗面１９に当り、そして、そこで光の乱反射が生じ、その反射光がさらに様々な向きに進むこととなる。
　したがって、本実施例の靴にあっては、発光器１０ａ〜１０ｃより発した光の向きは種々様々な向きのものとなり、視認性能が従来の靴に比して著しく改良されたものとなる。　　　
【００２２】
　また、振動スイッチ１４は、図８および図９に示すように、細長いストリップ形状の接点２０を回路基板１５の表面に設け、この接点２０を覆うように函体の導電性スイッチケース２１を回路基板１５上に搭載するとともに、２個の導電性鋼球２２、２２をスイッチケース２１内にその長手方向に自由に移動可能に収容してなり、そして、スイッチケース２１の長手方向がほぼ水平に保たれるように構成されている。
　従って、導電性鋼球２２がスイッチケース２１の長手方向の一端側もしくは両端側に位置するとき、あるいは導電性鋼球２２がスイッチケース２１の幅方向の端部に位置するとき、接点２０とスイッチケース２１とが導電性鋼球２２を介して導通されるように、そして、鋼球２２がスイッチケース２１の長手方向の中央部に位置し、スイッチケース２１の内側面と接触していないときには、接点２０とスイッチケース２１は非導通の状態に保たれるように構成されている。
　したがって、振動スイッチ１４は、スイッチケース２１の振動または姿勢変化に対して安定したスイッチ動作をなすものとなっている。言い換えると、振動スイッチ１４は、履用者の歩行又は走行時、例えば、特に前後方向の足の運び（蹴り足、着足）によって高感度にて確実にスイッチ動作するようになっている。
　特に振動スイッチ１４は、２個の導電性鋼球２２、２２をスイッチケース２１内に備えているので、これら鋼球２２、２２が相互に衝突することにより、鋼球２２が一個であるとき、それがスイッチケース２１内のある個所に係止されて移動しなくなるという事態の発生が無くなり、よって、振動スイッチ１４は、より円滑で安定したスイッチ動作が可能となっている。
【００２３】
　また、点灯制御回路１６は、振動スイッチ１４のスイッチ動作によって、３個の発光器１０ａ〜１０ｃを順次点滅し、かつ、その逐次点滅を３サイクル繰り返すように、そしてその点滅時間は３サイクルで約１秒間となるように設定されたリレー回路（図示せず）と、一回のスイッチ動作によって発光器１０が点灯している間は、再度スイッチオン動作がなされても機能しないようにする単安定マルチバイブレータ回路（図示せず）とを備えてなる。
　従って、発光する個所が３個の発光器１０ａ〜１０ｃの間を順に移動しているように見えるように、発光を途切れることなく継続させることができる。また、点灯制御回路１６は、単安定マルチバイブレータ方式とされているので、連続するスイッチ動作が不規則であっても、発光の為の規則的な点滅が維持されるとともに、不要な発光が防止されて電池寿命の延長に寄与することができる。
　尚、上記の実施例には設けていないが、点灯制御回路１６は、光センサ、例えばＣｄＳを備え、光センサが所定の光量以上の光を受けたときには、発光器１０ａ〜１０ｃを不点灯に制御するように構成することもできる。この構成により、周囲が明るいとき例えば昼間においては、発光器１０ａ〜１０ｃが点灯せず、反対に、周囲が暗いとき（例えば夜間）のみ、発光器１０ａ〜１０ｃが点灯するようにすることができ、従って、消費電力が節約され、電池１３の寿命がより一層延びることになる。
【図面の簡単な説明】
【００２４】
【図１】本発明の実施例の発光装置を備えた靴の正面図である。
【図２】図１のＡ−Ａ断面に相当する実施例の靴の発光装置付近の断面図である。
【図３】実施例の靴の発光装置における、発光ユニットの取り外し・取り付けプロセスを示す図である。
【図４】実施例の靴の発光装置における、発光ユニットの取り外し・取り付けプロセスを示す図である。
【図５】発光装置の外観を示す斜視図である。
【図６】図５のＢ−Ｂ断面に相当する発光装置の縦断面図である。
【図７】発光ユニットの外観を示す斜視図である。
【図８】図７のＣ−Ｃ断面に相当する振動スイッチの縦断面図である。
【図９】図８のＤ−Ｄ断面に相当する振動スイッチの断面図である。
【符号の説明】
【００２５】
　１　甲被
　２　発光装置
　３　意匠ケース部材
　４　発光ユニット
　５　保持カバー布
　８ａ、８ｂ　面ファスナー
　９　周縁
１０ａ、１０ｂ、１０ｃ　発光器（発光ダイオード）
１３　電池
１４　振動スイッチ
１５　回路基板
１６　点灯制御回路
１９　光の乱反射を生じる凹凸粗面
【図１】
2004024899.tif 000003
【図２】
2004024899.tif 000004
【図３】
2004024899.tif 000005
【図４】
2004024899.tif 000006
【図５】
2004024899.tif 000007
【図６】
2004024899.tif 000008
【図７】
2004024899.tif 000009
【図８】
2004024899.tif 000010
【図９】
2004024899.tif 000011